(57)【要約】【課題】  プリント材料の搬送に異常が発生した場合であっても、プリント材料のロスを最小限に抑えることができる、搬送装置を提供する。【解決手段】  プリント装置１０では、露光処理部１２の印画紙Ｐの搬送経路において、ペーパーマガジン３２の排出口３６ａから引き出しユニット３４の排出口４０ａまでの間で印画紙Ｐの搬送に異常が発生した場合、マニュアルカッタ５６による印画紙Ｐの切断を切断検出センサ６６が検出するまで報知動作を継続するように、ＣＰＵ１８ａによって表示部２２およびスピーカ２３が制御される。また、プリント装置１０では、マニュアルカッタ５６による印画紙Ｐの切断を切断検出センサ６６が検出するまで、印画紙Ｐの搬送に異常が発生した場合、引き出しユニット３４を所定の位置で固定するように、ＣＰＵ１８ａによってソレノイド５４が制御される。【選択図】      図７
2006103930.tif 000002
【特許請求の範囲】
【請求項１】
長尺のプリント材料を搬送経路に沿って搬送する搬送装置であって、
前記プリント材料を収容する収容部、
前記搬送経路の所定の位置に設けられ前記収容部から前記プリント材料を引き出す引き出し部、
前記収容部と前記引き出し部との間に設けられ前記収容部から引き出された前記プリント材料を切断する切断手段、
前記切断手段による前記プリント材料の切断を検出する検出手段、
前記プリント材料が切断されているか否かを報知する報知手段、および
前記プリント材料の搬送に異常が発生した場合、前記検出手段による検出結果に基づいて前記報知手段を制御する制御手段を備える、搬送装置。
【請求項２】
長尺のプリント材料を搬送経路に沿って搬送する搬送装置であって、
前記プリント材料を収容する収容部、
前記搬送経路の所定の位置に設けられ前記収容部から前記プリント材料を引き出す引き出し部、
前記収容部と前記引き出し部との間に設けられ前記収容部から引き出された前記プリント材料を切断する切断手段、
前記切断手段による前記プリント材料の切断を検出する検出手段、
前記引き出し部を前記所定の位置に固定する固定手段、および
前記プリント材料の搬送に異常が発生した場合、前記検出手段による検出結果に基づいて前記固定手段を制御する制御手段を備える、搬送装置。
【発明の詳細な説明】
【技術分野】
【０００１】
この発明は、搬送装置に関し、より特定的には、長尺のプリント材料を搬送経路に沿って搬送する搬送装置に関する。
【背景技術】
【０００２】
一般に、プリント材料の一例である銀塩印画紙に画像を形成するプリント装置が知られている。このようなプリント装置には、ペーパーマガジン内に巻回された長尺の銀塩印画紙を引き出しユニットによって引き出し、所定の搬送経路に沿って搬送する搬送装置が用いられる。
【０００３】
紙詰まり等のために銀塩印画紙の搬送に異常が発生した場合、たとえば、特許文献１に開示されるようなカッタ（マニュアルカッタ）を用いて、ペーパーマガジンから引き出された銀塩印画紙がオペレータによって切断される。その後、プリント装置から引き出しユニットが取り出され、引き出しユニット内に残る銀塩印画紙が取り除かれる。
【０００４】
特許文献１に開示されるようなマニュアルカッタを用いて、手動で銀塩印画紙を切断する搬送装置では、カッタを自動的に動作させて銀塩印画紙を切断する搬送装置と比べて、構成を簡略化できるという利点がある。
【特許文献１】特開２００４−５８１７４号
【発明の開示】
【発明が解決しようとする課題】
【０００５】
しかし、マニュアルカッタを用いてオペレータが銀塩印画紙を切断するので、銀塩印画紙の切断前に誤って引き出しユニットが取り出される恐れがあった。また、銀塩印画紙の切断途中であるにもかかわらず、誤って引き出しユニットが取り出される恐れがあった。
【０００６】
銀塩印画紙の切断前に、ペーパーマガジンから引き出しユニットまで銀塩印画紙が連続した状態で引き出しユニットがプリント装置から取り出されると、ペーパーマガジン内の銀塩印画紙が引き出しユニットの取り出し方向に引っ張られ、損傷してしまう。その結果、銀塩印画紙のロスが大きくなるという問題があった。
【０００７】
それゆえに、この発明の主たる目的は、プリント材料の搬送に異常が発生した場合であっても、プリント材料のロスを最小限に抑えることができる、搬送装置を提供することである。
【課題を解決するための手段】
【０００８】
上述の目的を達成するために、請求項１に記載の搬送装置は、長尺のプリント材料を搬送経路に沿って搬送する搬送装置であって、プリント材料を収容する収容部、搬送経路の所定の位置に設けられ収容部からプリント材料を引き出す引き出し部、収容部と引き出し部との間に設けられ収容部から引き出されたプリント材料を切断する切断手段、切断手段によるプリント材料の切断を検出する検出手段、プリント材料が切断されているか否かを報知する報知手段、およびプリント材料の搬送に異常が発生した場合、検出手段による検出結果に基づいて報知手段を制御する制御手段を備える。
【０００９】
請求項２に記載の搬送装置は、長尺のプリント材料を搬送経路に沿って搬送する搬送装置であって、プリント材料を収容する収容部、搬送経路の所定の位置に設けられ収容部からプリント材料を引き出す引き出し部、収容部と引き出し部との間に設けられ収容部から引き出されたプリント材料を切断する切断手段、切断手段によるプリント材料の切断を検出する検出手段、引き出し部を所定の位置に固定する固定手段、およびプリント材料の搬送に異常が発生した場合、検出手段による検出結果に基づいて固定手段を制御する制御手段を備える。
【００１０】
請求項１に記載の搬送装置では、プリント材料の搬送に異常が発生した場合、切断手段によるプリント材料の切断を検出手段が検出するまでプリント材料の切断が必要であることを報知し続けるように、制御手段によって報知手段が制御される。これによって、オペレータに、プリント材料の切断が必要であることを知らせ、切断手段を用いてプリント材料の切断を確実に行わせることができる。したがって、プリント材料の搬送に異常が発生した場合であっても、プリント材料のロスを最小限に抑えることができる。
【００１１】
請求項２に記載の搬送装置では、プリント材料の搬送に異常が発生した場合、切断手段によるプリント材料の切断を検出手段が検出するまで引き出し部を所定の位置に固定するように、制御手段によって固定手段が制御される。これによって、プリント材料の切断前に、搬送装置が用いられる装置からオペレータが誤って引き出し部を取り出してしまうことを確実に防止できる。したがって、プリント材料の搬送に異常が発生した場合であっても、プリント材料のロスを最小限に抑えることができる。
【発明の効果】
【００１２】
この発明によれば、プリント材料の搬送に異常が発生した場合であっても、プリント材料のロスを最小限に抑えることができる。
【発明を実施するための最良の形態】
【００１３】
以下、図面を参照して、この発明の搬送装置を、銀塩印画紙に画像を形成したプリントの作製に用いられるプリント装置に適用した場合について説明する。
図１から図３を参照して、プリント装置１０は、プリント材料の一例である銀塩印画紙（以下、単に「印画紙」という）Ｐに露光処理を施す露光処理部１２、露光処理済の印画紙Ｐに現像処理を施す現像処理部１４、現像処理済の印画紙Ｐを乾燥させる乾燥部１６、プリント装置１０の動作を制御するコントローラ１８、オペレータがデータ入力や指示を行うためのキーボードやマウス等の入力部２０、プリント装置１０を操作し易くするＧＵＩ（Graphical User Interface）やオペレータへのメッセージや印画紙Ｐに形成すべき画像等を表示する表示部２２、および所定の音を発するスピーカ２３を含む。
【００１４】
図１に示すように、露光処理部１２の正面には開閉可能に遮光ドア２４が設けられ、遮光ドア２４を開扉することで、露光処理部１２内のフレーム２６を視認できる。
【００１５】
図３に示すように、フレーム２６は正面側開口の箱型に設けられ、フレーム２６の底面を構成するベース２６ａの上面にはそれぞれ矢印Ａ方向（図１参照）に移動可能なスライドベース２８，３０が配置される。また、フレーム２６内にはフレーム２６の内部空間を上下に区画する板状部材２６ｂが設けられ、ベース２６ａの上面には正面からみて手前側の端部近傍（図４参照）に板状部材２６ｂを支持するポスト２６ｃが立設される。なお、図３には、遮光ドア２４を開扉した状態で確認できる露光処理部１２内の要部のみが示されている。
【００１６】
スライドベース２８は、ベース２８ａとスライダ２８ｂ，２８ｃとを含み、正面からみて左右に配置されるスライダ２８ｂ，２８ｃによってベース２８ａを挟持することで構成される。同様に、スライドベース３０は、ベース３０ａとスライダ３０ｂ，３０ｃとを含み、正面からみて左右に配置されるスライダ３０ｂ，３０ｃによってベース３０ａを挟持することで構成される。
【００１７】
ベース２８ａの上面にはペーパーマガジン３２が着脱可能に取り付けられ、また、ベース３０ａの上面には引き出しユニット３４が着脱可能に取り付けられる。この実施形態では、ペーパーマガジン３２が収容部に相当し、引き出しユニット３４が引き出し部に相当する。
【００１８】
スライダ２８ｂ，２８ｃ，３０ｂおよび３０ｃは、それぞれベース２６ａの上面に形成された溝部に摺動可能に嵌合される。スライダ２８ｂ，２８ｃがベース２６ａの溝部を摺動することによってスライドベース２８ひいてはペーパーマガジン３２が矢印Ａ方向（図１参照）に移動し、スライダ３０ｂ，３０ｃがベース２６ａの溝部を摺動することによってスライドベース３０ひいては引き出しユニット３４が矢印Ａ方向（図１参照）に移動する。
【００１９】
スライダ２８ｂ，２８ｃとスライダ２８ｂ，２８ｃに対応するベース２６ａの溝部とはそれぞれ矢印Ａ方向の寸法が等しく、露光処理部１２において印画紙Ｐを搬送する際にはスライダ２８ｂ，２８ｃの手前側の端面がベース２６ａの手前側の側面とほぼ面一になる位置にスライドベース２８が配置される。これによって、印画紙Ｐを搬送する際の所定の位置にペーパーマガジン３２が配置される。ベース２６ａの溝部を摺動させることで、スライダ２８ｂ，２８ｃはフレーム２６内から手前側に突出する。同様に、スライダ３０ｂ，３０ｃとスライダ３０ｂ，３０ｃに対応するベース２６ａの溝部とはそれぞれ矢印Ａ方向の寸法が等しく、露光処理部１２において印画紙Ｐを搬送する際にはスライダ３０ｂ，３０ｃの手前側の端面がベース２６ａの手前側の側面とほぼ面一になる位置にスライドベース３０が配置される。これによって、印画紙Ｐを搬送する際の所定の位置に引き出しユニット３４が配置される。ベース２６ａの溝部を摺動させることで、スライダ３０ｂ，３０ｃはフレーム２６内から手前側に突出する。
【００２０】
露光処理部１２からペーパーマガジン３２を取り出す際には、オペレータによって、遮光ドア２４が開扉され、正面からみて手前側（矢印Ａ方向の一方向：図１参照）にスライドベース２８が引き出された後に、ベース２８ａからペーパーマガジン３２が取り外される。同様に、露光処理部１２から引き出しユニット３４を取り出す際には、オペレータによって、遮光ドア２４が開扉され、正面からみて手前側（矢印Ａ方向の一方向：図１参照）にスライドベース３０が引き出された後に、ベース３０ａから引き出しユニット３４が取り外される。
【００２１】
ペーパーマガジン３２は、筐体３６内に所定の幅寸法（矢印Ａ方向の寸法）の印画紙Ｐを収容し、たとえば作製するプリントのサイズの変更に伴って交換される。ペーパーマガジン３２の筐体３６内に巻回される印画紙Ｐは、排出口３６ａから排出され、ポスト２６ｃの背面に設けられるガイド３８によって案内され、引き出しユニット３４に供給される。
【００２２】
引き出しユニット３４の筐体４０には、ペーパーマガジン３２と対向する面に嵌通するように導入ガイド４２が設けられる。ガイド３８を経由した印画紙Ｐは、導入ガイド４２に案内され、引き出しユニット３４の筐体４０内へと導かれる。
【００２３】
引き出しユニット３４の筐体４０内には、ステッピングモータの駆動によって回転するアドバンスローラ４４、アドバンスローラ４４に導入ガイド４２を経由した印画紙Ｐを押し付ける圧着ローラ４６ａ，４６ｂ、アドバンスローラ４４から送り出された印画紙Ｐを案内する内部ガイド４８、および内部ガイド４８を経由した印画紙Ｐを切断するためのカッタユニット５０が設けられる。
【００２４】
ペーパーマガジン３２内に巻回される印画紙Ｐは、アドバンスローラ４４の回転に伴って矢印Ｂ方向（矢印Ａ方向と直交する方向）に引っ張られ、ペーパーマガジン３２から引き出される。引き出しユニット３４の筐体４０内でアドバンスローラ４４から送り出された印画紙Ｐは、カッタユニット５０によって所定のサイズにカットされ、筐体４０の排出口４０ａから排出される。排出口４０ａから排出されたカット済みの印画紙Ｐは、複数の搬送ローラによって搬送され、搬送経路上に配置される露光ユニット５２によって露光される。
【００２５】
露光ユニット５２は、コントローラ１８から入力される画像データに基づく画像を印画紙Ｐの表面に露光し、画像（潜像）を形成する。露光ユニット５２は、レーザ光を矢印Ａ方向（主走査方向）に走査することによって搬送される印画紙Ｐに画像を露光形成するレーザ露光方式に構成される。
【００２６】
なお、露光ユニット５２の露光方式は、レーザ露光方式に限定されず、ＰＬＺＴ光シャッタあるいは液晶シャッタを用いた光シャッタ方式や、ＣＲＴ方式を採用した任意の露光ユニット５２を用いることができる。
【００２７】
また、露光処理部１２には、固定手段たるソレノイド５４が設けられる。図４および図５をも参照して、ソレノイド５４は、ベース２６ａの上面かつスライダ３０ｂの正面からみて奥側の端部近傍に配置される。ソレノイド５４のプランジャ５４ａ（図５参照）の端部には貫入部材５４ｂが設けられ、ソレノイド５４に通電することによってプランジャ５４ａおよび貫入部材５４ｂが矢印Ｂ方向に移動する。印画紙Ｐを搬送する際の所定の位置に引き出しユニット３４を配置した状態（図４に示す状態）でソレノイド５４に通電することで、スライダ３０ｂの奥側の端部に設けられる貫通孔５５に貫入部材５４ｂが貫入し（図５に示す状態となり）、スライドベース３０がベース２６ａ上で固定される。これによって、引き出しユニット３４が印画紙Ｐを搬送する際の所定の位置に固定される。
【００２８】
このような露光処理部１２の印画紙Ｐの搬送経路において、紙詰まり等のために、ペーパーマガジン３２の排出口３６ａから引き出しユニット３４の排出口４０ａまでの間で印画紙Ｐの搬送に異常が発生した場合、ペーパーマガジン３２と引き出しユニット３４との間で印画紙Ｐを切断し、露光処理部１２から引き出しユニット３４が取り出される。そして、引き出しユニット３４内に残る印画紙Ｐが取り除かれる。この実施形態では、ペーパーマガジン３２と引き出しユニット３４との間での印画紙Ｐを切断する切断手段として、図４から図６に示すようなマニュアルカッタ５６が用いられる。
【００２９】
図４に示すように、マニュアルカッタ５６は本体５８を含み、本体５８はオペレータによって把持されるハンドル部５８ａと露光処理部１２のフレーム２６内に挿入される被挿入部５８ｂ，５８ｃとからなる。被挿入部５８ｂと５８ｃとの間には、矢印Ａ方向に延びて切断時に印画紙Ｐの周縁を収容可能なスリット６０が設けられる。被挿入部５８ｂ，５８ｃには、それぞれスリット６０に沿って矢印Ａ方向に延びるリブ６２ａ，６２ｂが設けられる。リブ６２ａ，６２ｂは、ガイド３８の引き出しユニット３４側の端部の高さ寸法よりもわずかに大きな間隔を有して被挿入部５８ｂ，５８ｃに設けられる。また、図６に示すように、被挿入部５８ｂ，５８ｃのリブ６２ａ，６２ｂが設けられる面と反対側の面かつ先端部近傍には、スリット６０を跨ぐように切断刃６４が着脱可能に取り付けられる。
【００３０】
図５に示すように、リブ６２ａ，６２ｂの間にガイド３８の引き出しユニット３４側の端部が位置するようにマニュアルカッタ５６を配置することで、マニュアルカッタ５６はガイド３８を矢印Ａ方向に摺動可能となる。マニュアルカッタ５６をフレーム２６内に挿入し、ガイド３８に沿って正面からみて奥側（矢印Ａ方向の一方向）に摺動させることで、切断刃６４によってガイド３８を経由した印画紙Ｐが切断される。
【００３１】
また、露光処理部１２には、マニュアルカッタ５６による印画紙Ｐの切断を検出するための検出手段として、切断検出センサ６６が設けられる。図４および図５に示すように、切断検出センサ６６は、ガイド３８の正面からみて奥側の端部に設けられる発光部６６ａと導入ガイド４２の正面からみて奥側の端部に設けられる受光部６６ｂとによって構成される。
【００３２】
引き出しユニット３４が印画紙Ｐを搬送する際の所定の位置に設けられた状態では、発光部６６ａと受光部６６ｂとがそれぞれ対向し、発光部６６ａの対向面から発せられたレーザ光が受光部６６ｂの対向面に与えられる。切断検出センサ６６は、マニュアルカッタ５６の切断刃６４が発光部６６ａの対向面から発せられるレーザ光を遮断し、受光部６６ｂの対向面にレーザ光が与えられなくなることで印画紙Ｐの切断を検出する。
【００３３】
図１および図２に戻って、露光処理部１２で露光処理が施された印画紙Ｐは、現像処理部１４で現像処理液を貯留する処理槽を通過することによって現像処理され、乾燥部１６でヒータの発する熱によって乾燥された後に、乾燥部１６に設けられる排出口１６ａから仕上がりプリントＰ１として排出される。プリント装置１０から順次排出される仕上がりプリントＰ１は、乾燥部１６近傍に設けられる図示しない仕分け装置によって所定の単位毎に仕分けられる。
【００３４】
図２に示すように、コントローラ１８は、ＣＰＵバスで相互に接続されたＣＰＵ１８ａ、ＲＯＭ１８ｂ、ＲＡＭ１８ｃおよびＨＤＤ（ハードディスクドライブ：ハードディスクを含む）１８ｄを含む。
【００３５】
ＣＰＵ１８ａは、ＲＯＭ１８ｂやＨＤＤ１８ｄ等に記憶された各種のプログラムを実行し、プリント装置１０内の各構成要素に指示を与え、かつそれらの動作を制御する。この実施形態では、ＣＰＵ１８ａが制御手段としても機能する。
【００３６】
ＲＯＭ１８ｂは、起動用プログラム等を記憶している。起動用プログラムは、プリント装置１０の電源投入時にＣＰＵ１８ａによって実行される。これによって、ＨＤＤ１８ｄに記録されているオペレーティングシステム（ＯＳ）等のプログラムがＲＡＭ１８ｃにロードされ、各種の処理や制御が実行可能となる。
【００３７】
ＲＡＭ１８ｃには、プリント装置１０を制御するプログラムが展開され、このプログラムによる処理結果、処理のための一時データ、表示部２２の画面上に情報を表示するための表示用データ（テキストデータ、画像データ等）、スピーカ２３から発すべき音の音声データ等を保持し、ＣＰＵ１８ａの作業領域として使用される。ＲＡＭ１８ｃ上に展開された表示用データは表示部２２に伝達され、表示部２２はその画面上に表示用データに対応する表示内容（テキスト、画像等）を表示する。また、ＲＡＭ１８ｃ上に展開された音声データはスピーカ２３に伝達され、スピーカ２３は音声データに対応する音を発する。この実施形態では、表示部２２およびスピーカ２３が報知手段に相当する。
【００３８】
ＨＤＤ１８ｄは、ＣＰＵ１８ａの指示に従って、プログラム、制御用データ、テキストデータ、画像データ、音声データ等を、ハードディスクに対して書き込みまた読み出すためのデバイスである。この実施形態では、ＨＤＤ１８ｄのハードディスクに、図７に示す動作を実行するためのプログラムが格納される。
【００３９】
また、このようなコントローラ１８には、ＣＰＵ１８ａの指示に従って動作し、写真フィルムＦに形成されたコマ画像を画像データとして取得するスキャナ６８が接続される。スキャナ６８によって取得された画像データは、たとえばＨＤＤ１８ｄに記録され、当該画像データに基づく画像が露光ユニット５２によって印画紙Ｐに露光形成される。
【００４０】
ついで、このように構成されるプリント装置１０の動作の一例について説明する。ここでは、露光処理部１２の印画紙Ｐの搬送経路において、紙詰まり等のために、ペーパーマガジン３２の排出口３６ａから引き出しユニット３４の排出口４０ａまでの間で印画紙Ｐの搬送に異常が発生した場合の動作について説明する。
【００４１】
まず、印画紙Ｐの搬送に異常が発生したことをＣＰＵ１８ａが検知すると（ステップＳ１）、印画紙Ｐの切断を促す画像（報知画像）に対応する表示用データおよび警報音に対応する音声データがＣＰＵ１８ａの指示に従ってＨＤＤ１８ｄから読み出され、ＲＡＭ１８ｃ上に展開される。
【００４２】
つづいて、ＣＰＵ１８ａの指示に従って、ＲＡＭ１８ｃ上に展開された表示用データに基づく報知画像が表示部２２の画面上に表示され、これと同時に、ＲＡＭ１８ｃ上に展開された音声データに基づく警報音がスピーカ２３から発せられる。つまり、ＣＰＵ１８ａの指示に従って、印画紙Ｐの切断が必要であることをオペレータに知らせる報知動作が開始される（ステップＳ３）。ステップＳ３で表示部２２の画面上に表示される報知画像は、たとえば「ドアを開けて印画紙を切断してください。」等のメッセージを含む。
【００４３】
つづいて、ＣＰＵ１８ａの指示に従って、ソレノイド５４への通電が開始され、貫入部材５４ｂが矢印Ｂ方向（図４参照）に移動される。これによって、貫入部材５４ｂがスライダ３０ｂの貫通孔５５に貫入し、引き出しユニット３４が印画紙Ｐを搬送する際の所定の位置に固定される（ステップＳ５）。
【００４４】
その後、発光部６６ａから発せられるレーザ光がマニュアルカッタ５６の切断刃６４によって遮断されることで、切断検出センサ６６が印画紙Ｐの切断を検出すると（ステップＳ７でＹＥＳ）、ＣＰＵ１８ａの指示に従って、表示部２２画面上から報知画像が消去され、スピーカ２３からの警報音が停止される。つまり、ＣＰＵ１８ａの指示に従って、印画紙Ｐの切断が必要であることをオペレータに知らせる報知動作が停止される（ステップＳ９）。
【００４５】
つづいて、ＣＰＵ１８ａの指示に従って、ソレノイド５４への通電が停止され、貫入部材５４ｂが矢印Ｂ方向と反対の方向に移動し、印画紙Ｐを搬送する際の所定の位置での引き出しユニット３４の固定が解除される（ステップＳ１１）。
【００４６】
ステップＳ７で、切断検出センサ６６が印画紙Ｐの切断を検出するまでは（ステップＳ７でＮＯ）、ステップＳ３の報知動作とステップＳ５の引き出しユニット３４の固定とが継続される。
【００４７】
なお、ステップＳ３とステップＳ５とはいずれを先に行ってもよく、またストップＳ３とステップＳ５とを同時に行ってもよい。ステップＳ９とステップＳ１１についても同様である。
【００４８】
このようなプリント装置１０では、印画紙Ｐの搬送に異常が発生した場合、マニュアルカッタ５６による印画紙Ｐの切断を切断検出センサ６６が検出するまで報知動作を継続するように、ＣＰＵ１８ａによって表示部２２およびスピーカ２３が制御される。これによって、オペレータに、印画紙Ｐの切断が必要であること知らせ、マニュアルカッタ５６を用いて印画紙Ｐの切断を確実に行わせることができる。また、プリント装置１０では、マニュアルカッタ５６による印画紙Ｐの切断を切断検出センサ６６が検出するまで印画紙Ｐを搬送する際の所定の位置に引き出しユニット３４を固定するように、ＣＰＵ１８ａによってソレノイド５４が制御される。これによって、印画紙Ｐの切断前に、オペレータが誤って露光処理部１２から引き出しユニット３４を取り出してしまうことを確実に防止できる。
【００４９】
このように、プリント装置１０では、印画紙Ｐの切断が必要であることを報知しかつ印画紙Ｐを搬送する際の所定の位置に引き出しユニット３４を固定することによって、印画紙Ｐの搬送に異常が発生した場合であっても、印画紙Ｐのロスを最小限に抑えることができる。
【００５０】
なお、切断検出センサ６６を配置する位置は、上述の実施形態の位置に限定されず、マニュアルカッタ５６による印画紙Ｐの切断を確実に検出できれば任意の位置に切断検出センサ６６を配置することができる。
【００５１】
また、上述の実施形態では、レーザ光が遮断されることによって印画紙Ｐの切断を検出する切断検出センサ６６を用いる場合について説明したが、たとえばマニュアルカッタ５６の位置の変位量を測定するセンサや印画紙Ｐの裏面にレーザ光を照射して印画紙Ｐの切断を直接的に検出するセンサ等、任意の検出手段を用いることができる。
【００５２】
さらに、上述の実施形態では、印画紙Ｐの搬送に異常が発生した際に、報知動作と引き出しユニット３４の固定とを行う場合について説明したが、報知動作および引き出しユニット３４の固定のいずれか一方のみを行うようにしてもよい。
【００５３】
この発明の搬送装置は、長尺のプリント材料を搬送する必要があるたとえばインクジェットプリンタ等の任意の装置に用いることができる。
【００５４】
この発明で用いられるプリント材料は、銀塩印画紙に限定されず、インクジェット用のプリント用紙や布やプラスチックフィルム等であってもよい。
【図面の簡単な説明】
【００５５】
【図１】この発明の搬送装置が適用されるプリント装置の一例を示す斜視図解図である。
【図２】図１のプリント装置のブロック図である。
【図３】図１のプリント装置の要部を示す正面図解図である。
【図４】露光処理部の要部を示す斜視図解図である。
【図５】露光処理部へのマニュアルカッタの配置態様を示す正面図解図である。
【図６】マニュアルカッタの一例を示す斜視図解図である。
【図７】図１のプリント装置の動作の一例を示すフロー図である。
【符号の説明】
【００５６】
１０      プリント装置
１２      露光処理部
１８      コントローラ
１８ａ      ＣＰＵ
２８，３０      スライドベース
２８ｂ，２８ｃ，３０ｂ，３０ｃ      スライダ
３２      ペーパーマガジン
３４      引き出しユニット
５４      ソレノイド
５６      マニュアルカッタ
６６      切断検出センサ
Ｐ      印画紙
【図１】
2006103930.tif 000003
【図２】
2006103930.tif 000004
【図３】
2006103930.tif 000005
【図４】
2006103930.tif 000006
【図５】
2006103930.tif 000007
【図６】
2006103930.tif 000008
【図７】
2006103930.tif 000009